(57)【要約】      （修正有）【課題】墓地として広さ的にも、土壌的にも条件の悪い土地に設置でき、安価で、多くの遺骨を収容可能な耐震永代供養墓を提供する。【解決手段】基礎杭工事を施した永代供養墓設置用基礎部３と、所定の高さを有する矩形の壁石で形成された地上型カロート部１と、カロートを取り囲むコの字の石壁部２により構成される。カロートを形成する壁石の相互の接合部４隅の上部と下部には火打ちを取り付け、耐震構造とする。また、カロートを取り囲むコの字の石壁の内側面４に戒名、俗名、墓誌等を刻んだプレートが設置できるよう加工されているのが好ましい。【選択図】図１
0003201052.tif 000002
【実用新案登録請求の範囲】
【請求項１】
複数の遺骨を収容して供養する永代供養墓において、基礎杭工事を施した永代供養墓設置用基礎部と、所定の高さを有する矩形の壁石で形成された地上型カロート部と、前記カロートを取り囲むコの字の石壁部により構成されることを特徴とする耐震永代供養墓
【請求項２】
前記カロートを形成する壁石の相互の接合部４隅の上部と下部には火打ちを取り付け、耐震構造としたことを特徴とする請求項１の耐震永代供養墓
【請求項３】
カロートを取り囲むコの字の石壁であって、石壁の内側面に戒名、俗名、墓誌等を刻んだプレートが設置できるよう加工されている石壁であることを特徴とする請求項１から請求項２のうち何れか１項記載の耐震永代供養墓
【考案の詳細な説明】
【技術分野】
【０００１】  本考案は、永代供養墓に関し、より詳しくは狭い敷地に多数の遺骨を収容する耐震永代供養墓に関するものである。
【背景技術】
【０００２】  従来寺の敷地内に形成された墓地には壇家などの合祀墓が多数設置され、四季折々に先祖供養が営まれてきた。しかしながら、核家族化の進展や、国内各地への転勤、海外赴任などの転居により、墓を維持することや、先祖供養が困難となり、無縁墓となる事例が増大している。一方、都会地では、墓地の入手が困難なため、遠方の寺や霊園が管理する墓地を入手して、その寺や霊園に永代供養を委託する遺族が増加する傾向にある。【０００３】  また多数の遺骨を一の骨壷収容室に収容する集合墓については、上部に仏像や献花台などを、その下部に筐体を設け、筐体内に多数の骨壷を収容する骨壷収容室と、その底部に土面が露出する収骨筒とを設置した集合墓（特許文献１参照）などが提案されている。【０００４】  一方墓地用地の確保は年々難しくなっている。特に既存のお寺ではスペース的にも限界があり、仮に確保できたとしても軟弱土壌で墓石の傾倒等があり、墓地としては不適な場合もある。また山を切り崩し用地を確保する場合もあるが、切り崩した部分を景観的に自然にみせるため別の工事を必要とすることが多く、経費が高くなる。【０００５】  また地上にカロートを設置する方法は従来の地下や半地下に設置する方法に比べて工事期間も短期で安価であるが、地震に弱いという弱点があった。
【先行技術文献】
【特許文献】
【０００７】
【特許文献１】実公平０６−０３６１８７号公報
【考案の概要】
【考案が解決しようとする課題】
【０００８】  本考案は、墓地として広さ的にも、土壌的にも条件の悪い土地に耐震永代供養墓を設置し、地上型耐震性カロートに遺骨を合祀することにより、より多くの遺骨を収容可能な耐震永代供養墓を提供することを目的とする。
【課題を解決するための手段】
【０００９】  基礎杭工事を施した永代供養墓設置用基礎部と、所定の高さを有する矩形の壁石で形成された地上型カロート部と、前記カロートを取り囲むコの字の石壁部により構成されることを特徴とする耐震永代供養墓にすることである。【００１０】  さらに基礎杭工事を施した永代供養墓設置用基礎部と、所定の高さを有する矩形の壁石で形成された地上型カロートであって、カロートを形成する壁石の相互の接合部４隅の上部と下部にはそれぞれ火打ちが取り付けられた地上型カロート部と、前記カロートを取り囲むコの字の石壁部により構成されることを特徴とする耐震永代供養墓にすることである。【００１１】  又さらには基礎杭工事を施した永代供養墓設置用基礎部と、所定の高さを有する矩形の壁石で形成された地上型カロート部と、前記カロートを取り囲むコの字の石壁が、その内側面に戒名、氏名、墓誌等を刻んだプレートが設置できるよう加工されている石壁である石壁部とにより構成される耐震永代供養墓にすることである。
【考案の効果】
【００１２】  本考案の耐震永代供養墓によれば、カロートに合祀することができるので、永代供養墓の占有面積を小さくした上、その中により多くの遺骨を収容することができ、耐震構造のため長期間安心して利用できる。
【図面の簡単な説明】
【００１３】
【図１】この考案の耐震永代供養墓の全体の斜視図である
【図２】コンクリート基礎部の斜視図である
【図３】カロート内部の火打ち取り付け部の図である
【考案を実施するための形態】
【００１４】  以下に本考案の耐震永代供養墓の実施形態について説明する。
所定の広さの墓地に所定量の杭を圧入し、その上に鉄筋入りの永代供養墓のコンクリート基礎部を構築する。杭はＰＣ杭でも鋼管杭でも使用できる。
基礎中央のカロート底部に位置する部分には角型の水抜き孔を設けてある。基礎中央の水抜き孔後部にカロートを構築する。
【００１５】  カロートは４枚の石壁と天井石板により箱型のカロートを構成する。４枚の石壁は通常の接合手法である接着と凹凸接合で組み立てられるが、さらに耐震性向上のためカロート四隅の上部と下部に金属製火打ち接続を取り付ける。
【００１６】  カロート天井石板には納骨孔が設けられており、天井石板上部には供養の多宝塔や仏像を設置することができる。カロート正面前部に献花台、経台等を設置しても良い。
【００１７】  カロートの外周部にはコの字状の外壁を設ける。該外壁内面側には名盤取り付部が設けられており、供養された方々の戒名、俗名，墓誌等のプレートが取り付けられるよう加工されている。また本考案の耐震永代供養墓はカロート周囲を石壁で囲われるため、山を切り崩したような場所でも違和感なくお参りできる。
【実施例１】
【００１８】  縦３ｍ×横３．６ｍの墓地に等間隔に１６本のＰＣ杭を打ち込む。ＰＣ杭の断面形状六角で長さ１．８ｍである。次に杭上端部をハツリ、露出した杭鉄筋と基礎部の網目鉄筋を接合して基礎部鉄筋とした。基礎部鉄筋を包むようコンクリートを流し込み耐震性のコンクリート基礎部を構築する。この基礎の中央部には水抜き用の孔を設けておく。【００１９】  次に基礎部水抜き孔上部に幅１．４７ｍ×高さ０．９６ｍ×厚さ０．０７５ｍの石板２枚と幅１．１１ｍ×高さ０．９６ｍ×厚さ０．０７５ｍの石板２枚及び幅１．２ｍ×高さ０．７５ｍ×厚さ０．１５ｍの天板２枚で箱型のカロートを構築する。天板の１枚には０．２４ｍ×０．２４ｍの納骨口を設けてある。幅１．４７ｍ×高さ０．９６ｍ×厚さ０．０７５ｍの石板と幅１．１１ｍ×高さ０．９６ｍ×厚さ０．０７５ｍの石板の接続は通常使用される予め加工した凹凸部の嵌合と接着剤の併用に加え、鍵型のステンレス製火打ちを四隅の上下４箇所にねじで固定する。カロート上部には多宝塔、前部には経台を設置した。【００２０】  外壁は幅０．９ｍ×高さ１．８ｍ×厚さ０．１５ｍの石板を基礎部外縁に沿って接続し、コの字状の外壁を構築する。外壁内面には名盤設置用の複数の窪み加工を施しておく。外壁同士の接合及び基礎部との接合は通常の凹凸勘合と接着材を併用して強固に接合して外壁を構成して、耐震永代供養墓とした。
【産業上の利用可能性】
【００２１】  本考案の永代供養墓は、末永く永代に供養するためのお墓として広く適用できる。
【符号の説明】
【００２２】１    カロート
２    コの字状外壁
３    基礎部
４    名盤取り付け部
５    納骨口
６    多宝塔
７    経台
８    コンクリート基礎
９    基礎杭
１０  水抜き孔
１１  カロート内壁
１２  上部火打ち
１３  下部火打ち
【図１】
0003201052.tif 000003
【図２】
0003201052.tif 000004
【図３】
0003201052.tif 000005